(57)【特許請求の範囲】
【請求項１】
デスクトップ共有方法であって、
第２の端末が、第１の端末によって共有されるデスクトップ描画ファイルを受信するステップであって、前記デスクトップ描画ファイルは前記第１の端末のデスクトップ上の少なくとも１つの画面インタフェースのデスクトップ記述ファイル及びファイルパッケージを含み、前記デスクトップ記述ファイルは前記第１の端末のデスクトップ上の少なくとも１つのアプリケーションインタフェース要素の位置を含み、前記ファイルパッケージは前記少なくとも１つのアプリケーションインタフェース要素のサムネイルを含む、受信するステップと、
前記第２の端末が、前記第１の端末のデスクトッププレビュー画像を表示するステップと、
第３の操作が受信されると、前記第２の端末が、前記受信したデスクトップ描画ファイルに従って前記第２の端末のデスクトップを更新するステップをトリガするステップであって、前記第３の操作は前記受信したデスクトップ描画ファイルを使用することを決定するのに用いられる、トリガするステップと、
を有する方法。
【請求項２】
前記アプリケーションインタフェース要素は、デスクトップ壁紙、デスクトップアプリケーション、デスクトップウィジェット又はデスクトップ上のフォルダを含む、請求項１記載の方法。
【請求項３】
前記第２の端末が、前記受信したデスクトップ描画ファイルに従って前記第２の端末のデスクトップを更新するステップは、
前記第２の端末が、前記受信したデスクトップ描画ファイルに従って前記第２の端末のデスクトップ描画ファイルを更新するステップと、
前記第２の端末が、前記第２の端末の更新されたデスクトップ描画ファイルに従って前記第２の端末のデスクトップを表示するステップと、
を含む、請求項２記載の方法。
【請求項４】
前記第２の端末が、前記第２の端末の更新されたデスクトップ描画ファイルに従って前記第２の端末のデスクトップを表示するステップは、
前記第２の端末が、前記第２の端末の更新されたデスクトップ描画ファイルに従って、前記第２の端末のデスクトップ壁紙を置換し、及び／又は前記第２の端末のデスクトップアイコンを配置するステップを有し、前記デスクトップアイコンは前記デスクトップアプリケーションのアイコン、及び／又は前記デスクトップウィジェットのアイコン、及び／又は前記デスクトップ上のフォルダのアイコンを含む、請求項３記載の方法。
【請求項５】
前記少なくとも１つのアプリケーションインタフェース要素がデスクトップアプリケーションを含むとき、前記デスクトップ記述ファイルは更に、前記デスクトップアプリケーションのダウンロードリンクを含み、
前記第２の端末が、前記受信したデスクトップ描画ファイルに従って前記第２の端末のデスクトップを更新するステップの後、当該方法は更に、
前記第２の端末が、前記第１の端末のデスクトップアプリケーションが前記第２の端末にインストールされていないとき、前記デスクトップ上の前記インストールされていないデスクトップアプリケーションをタップする操作を受信するステップと、
前記第２の端末が、前記デスクトップ記述ファイルにおける前記デスクトップアプリケーションのダウンロードリンクを利用することによって、前記タップされたデスクトップアプリケーションをダウンロード及びインストールするステップと、
を含む、請求項１乃至４何れか一項記載の方法。
【請求項６】
請求項１乃至５何れか一項記載の方法をコンピュータに実行させるプログラム。
【請求項７】
入力装置、出力装置、プロセッサ及びメモリを有するモバイル端末であって、
前記入力装置は当該モバイル端末の外部からデータを取得し、
前記メモリはコードを記憶し、
前記プロセッサは請求項１乃至５何れか一項記載の方法を実現するためのコードを制御するモバイル端末。
【発明の詳細な説明】
【技術分野】
【０００１】
本出願は、参照によってその全体がここに援用される“ＤＥＳＫＴＯＰ  ＳＨＡＲＩＮＧ  ＭＥＴＨＯＤ  ＡＮＤ  ＭＯＢＩＬＥ  ＴＥＲＭＩＮＡＬ”という名称の２０１５年１月６日に中国専利局に出願された中国特許出願第ＰＣＴ／ＣＮ２０１５／０７０２２４号に対する優先権を主張する。
【０００２】
本発明は、通信分野に関し、特にデスクトップ共有方法及びモバイル端末に関する。
【背景技術】
【０００３】
現在のインターネットウェブサイトでは、様々な文書及びアプリケーションなどのネットワークリソースを共有する機能が比較的普及している。すなわち、インターネットウェブサイトには、対応するネットワークリソースのための共有ボタンが提供され、ユーザのクリック操作を利用することによって、選択されたネットワークリソースがインターネット上の他のユーザと共有される。
【０００４】
大多数のユーザは、インターネットにアクセスするためにモバイル端末を使用することによって、サービス及びリソースの取得を既に一般的に受け入れている。様々なアプリケーションが開発及び公開されるに従って、ユーザは、自らのモバイル端末上の機能を充実させるため、自らが興味のあるアプリケーションを強く進んで取得しようとする。さらに、興味深い又は有用なアプリケーションを取得するとき、ユーザは、同様の興味を有するそれらの精通したユーザとこれらのアプリケーションを進んで共有しようとする。
【０００５】
しかしながら、現在の全ての共有機能は、単一のファイル（画像、ファイル、音楽、ビデオ、連絡先又はアプリケーションなど）の共有しか実現できず、ユーザによる単一のファイルの使用及び閲覧のための要件しか満たすことができず、ユーザによるモバイル端末のデスクトップ上での１つ以上の全画面インタフェースの共有及び使用のための要件を満たすことができない。
【発明の概要】
【０００６】
本発明の実施例は、ユーザによるモバイル端末のデスクトップ上での１つ以上の全画面インタフェースの共有及び使用のための要件を満たすため、モバイル端末のデスクトップを共有するのに使用されるデスクトップ共有方法及びモバイル端末を提供する。
【０００７】
本発明の第１の態様は、デスクトップ共有方法であって、
第１の端末が、ユーザの第１の操作を受信するステップと、
前記第１の端末が、前記第１の操作が第１の予め設定された条件を充足するとき、前記第１の端末のデスクトップに従ってデスクトップ描画ファイルを決定するステップであって、前記デスクトップ描画ファイルは、前記第１の端末のデスクトップ上の少なくとも１つの画面インタフェースのデスクトップ記述ファイル及びファイルパッケージを含み、前記デスクトップ記述ファイルは前記第１の端末のデスクトップ上の少なくとも１つのアプリケーションインタフェース要素の位置を含み、前記ファイルパッケージは前記少なくとも１つのアプリケーションインタフェース要素のサムネイルを含む、決定するステップと、
前記第１の端末が、第２の端末が共有されたデスクトップ描画ファイルに従って前記第２の端末のデスクトップを更新するように、前記決定されたデスクトップ描画ファイルを共有するステップと、
を有する方法を提供する。
【０００８】
本発明の実施例の第１の態様を参照して、本発明の実施例の第１の態様の第１の実現方式では、前記アプリケーションインタフェース要素は、デスクトップ壁紙、デスクトップアプリケーション、デスクトップウィジェットＷｉｄｇｅｔ又はデスクトップ上のフォルダを含む。
【０００９】
第１の態様又は本発明の実施例の第１の態様の第１の実現方式を参照して、本発明の実施例の第１の態様の第２の実現方式では、前記少なくとも１つのアプリケーションインタフェース要素がデスクトップアプリケーションを含むとき、前記デスクトップ記述ファイルは更に、前記デスクトップアプリケーションのダウンロードリンクを含む。
【００１０】
第１の態様又は本発明の実施例の第１の態様の第１及び第２の実現方式の何れかを参照して、本発明の実施例の第１の態様の第３の実現方式では、前記デスクトップ描画ファイルは更に、前記第１の端末のデスクトッププレビュー画像を含む。
【００１１】
第１の態様又は本発明の実施例の第１の態様の第１から第３の実現方式の何れか１つを参照して、本発明の実施例の第１の態様の第４の実現方式では、前記第１の端末が、前記決定されたデスクトップ描画ファイルを共有するステップは、具体的には、
前記第１の端末が、無線接続を利用することによって、前記デスクトップ描画ファイルを前記第２の端末と直接的に共有するステップ、又は、
前記第１の端末が、前記第２の端末がダウンロード及び使用するため、前記デスクトップ描画ファイルをソーシャルネットワークと共有するステップを含む。
【００１２】
第１の態様又は本発明の実施例の第１の態様の第１から第４の実現方式の何れか１つを参照して、本発明の実施例の第１の態様の第５の実現方式では、前記第１の端末が、ユーザの第１の操作を受信するステップは、具体的には、
前記第１の端末が、前記ユーザのタップ操作を受信するステップと、
前記ユーザによるデスクトップ共有ボタンをタップする操作が受信されると、前記第１の操作が前記第１の予め設定された条件を充足すると判断するステップと、
を含む。
【００１３】
本発明の実施例の第１の態様の第５の実現方式を参照して、本発明の実施例の第１の態様の第６の実現方式では、前記第１の端末が、前記ユーザのタップ操作を受信するステップの前に、当該方法は更に、
前記第１の端末が、前記ユーザの第２の操作を受信するステップと、
前記第１の端末が、前記第２の操作が第２の予め設定された条件を充足するとき、デスクトップ編集インタフェースを入力するステップであって、前記デスクトップ共有ボタンは前記デスクトップ編集インタフェース上に表示される、入力するステップと、
を更に含む。
【００１４】
第１の態様又は本発明の実施例の第１の態様の第１から第６の実現方式の何れか１つを参照して、本発明の実施例の第１の態様の第７の実現方式では、前記第１の端末が、ユーザの第１の操作を受信するステップは、具体的には、
前記第１の端末が、画面上の前記ユーザのスワイプ操作を受信するステップと、
前記第１の端末が、スワイプトラックが所定の条件を充足するとき、前記第１の操作が前記第１の予め設定された条件を充足すると判断するステップと、
を含む。
【００１５】
本発明の第２の態様は、デスクトップ共有方法であって、
第２の端末が、第１の端末によって共有されるデスクトップ描画ファイルを受信するステップであって、前記デスクトップ描画ファイルは前記第１の端末のデスクトップ上の少なくとも１つの画面インタフェースのデスクトップ記述ファイル及びファイルパッケージを含み、前記デスクトップ記述ファイルは前記第１の端末のデスクトップ上の少なくとも１つのアプリケーションインタフェース要素の位置を含み、前記ファイルパッケージは前記少なくとも１つのアプリケーションインタフェース要素のサムネイルを含む、受信するステップと、
前記第２の端末が、前記受信したデスクトップ描画ファイルに従って前記第２の端末のデスクトップを更新するステップと、
を有する方法を提供する。
【００１６】
本発明の実施例の第２の態様を参照して、本発明の実施例の第２の態様の第１の実現方式では、前記アプリケーションインタフェース要素は、デスクトップ壁紙、デスクトップアプリケーション、デスクトップウィジェットＷｉｄｇｅｔ又はデスクトップ上のフォルダを含む。
【００１７】
第２の態様又は本発明の実施例の第２の態様の第１の実現方式を参照して、本発明の実施例の第２の態様の第２の実現方式では、前記第２の端末が、前記受信したデスクトップ描画ファイルに従って前記第２の端末のデスクトップを更新するステップは、具体的には、
前記第２の端末が、前記受信したデスクトップ描画ファイルに従って前記第２の端末のデスクトップ描画ファイルを更新するステップと、
前記第２の端末が、前記第２の端末の更新されたデスクトップ描画ファイルに従って前記第２の端末のデスクトップを表示するステップと、
を含む。
【００１８】
本発明の実施例の第２の態様の第２の実現方式を参照して、本発明の実施例の第２の態様の第３の実現方式では、前記第２の端末が、前記第２の端末の更新されたデスクトップ描画ファイルに従って前記第２の端末のデスクトップを表示するステップは、具体的には、
前記第２の端末が、前記第２の端末の更新されたデスクトップ描画ファイルに従って、前記第２の端末のデスクトップ壁紙を置換し、及び／又は前記第２の端末のデスクトップアイコンを配置するステップを有し、前記デスクトップアイコンは前記デスクトップアプリケーションのアイコン、及び／又は前記デスクトップウィジェットのアイコン、及び／又は前記デスクトップ上のフォルダのアイコンを含む。
【００１９】
第２の態様又は本発明の実施例の第２の態様の第１から第３の実現方式の何れか１つを参照して、本発明の実施例の第２の態様の第４の実現方式では、前記少なくとも１つのアプリケーションインタフェース要素がデスクトップアプリケーションを含むとき、前記デスクトップ記述ファイルは更に、前記デスクトップアプリケーションのダウンロードリンクを含み、
前記第２の端末が、前記受信したデスクトップ描画ファイルに従って前記第２の端末のデスクトップを更新するステップの後、当該方法は更に、
前記第２の端末が、前記第１の端末のデスクトップアプリケーションが前記第２の端末にインストールされていないとき、前記デスクトップ上の前記インストールされていないデスクトップアプリケーションをタップする操作を受信するステップと、
前記第２の端末が、前記デスクトップ記述ファイルにおける前記デスクトップアプリケーションのダウンロードリンクを利用することによって、前記タップされたデスクトップアプリケーションをダウンロード及びインストールするステップと、
を含む。
【００２０】
第２の態様又は本発明の実施例の第２の態様の第１から第４の実現方式の何れか１つを参照して、本発明の実施例の第２の態様の第５の実現方式では、前記第１のデスクトップ情報ファイルは更に、前記第１の端末のデスクトッププレビュー画像を含み、
前記第２の端末が第１の端末によって共有されるデスクトップ描画ファイルを受信するステップの後であって、前記第２の端末が前記受信したデスクトップ描画ファイルに従って前記第２の端末のデスクトップを更新するステップの前、当該方法は更に、
前記第２の端末が、前記第１の端末のデスクトッププレビュー画像を表示するステップと、
第３の操作が受信されると、前記第２の端末が、前記受信したデスクトップ描画ファイルに従って前記第２の端末のデスクトップを更新するステップをトリガするステップと、
を含み、
前記第３の操作は前記受信したデスクトップ描画ファイルを使用することを決定するのに用いられる。
【００２１】
本発明の実施例の第３の態様は、第１の端末として機能し、デスクトップを共有するよう構成されるモバイル端末であって、
ユーザの第１の操作を受信するよう構成される第１の受信モジュールと、
前記第１の受信モジュールによって受信された第１の操作が第１の予め設定された条件を充足すると、前記第１の端末のデスクトップに従ってデスクトップ描画ファイルを決定するよう構成される決定モジュールであって、前記デスクトップ描画ファイルは前記第１の端末のデスクトップ上の少なくとも１つの画面インタフェースのデスクトップ記述ファイル及びファイルパッケージを含み、前記デスクトップ記述ファイルは前記第１の端末のデスクトップ上の少なくとも１つのアプリケーションインタフェース要素の位置を含み、前記ファイルパッケージは前記少なくとも１つのアプリケーションインタフェース要素のサムネイルを含む、決定モジュールと、
第２の端末が共有されるデスクトップ描画ファイルに従って前記第２の端末のデスクトップを更新するように、前記決定されたデスクトップ描画ファイルを共有するよう構成される共有モジュールと、
を有するモバイル端末を提供する。
【００２２】
本発明の実施例の第３の態様を参照して、本発明の実施例の第３の態様の第１の実現方式では、前記アプリケーションインタフェース要素は、デスクトップ壁紙、デスクトップアプリケーション、デスクトップウィジェットＷｉｄｇｅｔ又はデスクトップ上のフォルダを含み、
前記少なくとも１つのアプリケーションインタフェース要素がデスクトップアプリケーションを含むとき、前記デスクトップ記述ファイルは更に、前記デスクトップアプリケーションのダウンロードリンクを含み、
前記デスクトップ描画ファイルは更に、前記第１の端末のデスクトッププレビュー画像を含む。
【００２３】
第３の態様又は本発明の実施例の第３の態様の第１の実現方式を参照して、本発明の実施例の第３の態様の第２の実現方式では、前記共有モジュールは、具体的には、無線接続を利用することによって、前記デスクトップ描画ファイルを前記第２の端末と直接的に共有するか、又は、前記第２の端末がダウンロード及び使用するため、前記デスクトップ描画ファイルをソーシャルネットワークと共有するよう構成される。
【００２４】
第３の態様又は本発明の実施例の第３の態様の第１及び第２の実現方式の何れかを参照して、本発明の実施例の第３の態様の第３の実現方式では、前記第１の受信モジュールは、具体的には、
前記ユーザのタップ操作を受信するよう構成される第１の受信ユニットと、
前記第１の受信ユニットが前記ユーザによるデスクトップ共有ボタンをタップする操作を受信すると、前記第１の操作は前記第１の予め設定された条件を充足すると判断するよう構成される第１の判断ユニットと、
を含む。
【００２５】
本発明の実施例の第３の態様の第３の実現方式を参照して、本発明の実施例の第３の態様の第４の実現方式では、当該モバイル端末は更に、
前記ユーザの第２の操作を受信するよう構成される第２の受信モジュールと、
前記第２の受信モジュールによって受信された第２の操作が第２の予め設定された条件を充足すると、デスクトップ編集インタフェースを表示するよう構成されるボタン表示モジュールと、
を含み、
前記デスクトップ共有ボタンは前記デスクトップ編集インタフェース上に表示される。
【００２６】
第３の態様又は本発明の実施例の第３の態様の第１から第４の実現方式の何れか１つを参照して、本発明の実施例の第３の態様の第５の実現方式では、前記第１の受信モジュールは、具体的には、
画面上のユーザのスワイプ操作を受信するよう構成される第２の受信ユニットと、
スワイプトラックが所定の条件を充足すると、前記第１の操作が前記第１の予め設定された条件を充足すると判断するよう構成される第２の判断ユニットと、
を含む。
【００２７】
本発明の第４の態様は、第２の端末として機能し、共有デスクトップを利用するよう構成されるモバイル端末であって、
第１の端末によって共有されるデスクトップ描画ファイルを受信するよう構成される第３の受信モジュールであって、前記デスクトップ描画ファイルは前記第１の端末のデスクトップ上の少なくとも１つの画面インタフェースのデスクトップ記述ファイル及びファイルパッケージを含み、前記デスクトップ記述ファイルは前記第１の端末のデスクトップ上の少なくとも１つのアプリケーションインタフェース要素の位置を含み、前記ファイルパッケージは前記少なくとも１つのアプリケーションインタフェース要素のサムネイルを含む、第３の受信モジュールと、
前記第３の受信モジュールによって受信されたデスクトップ描画ファイルに従って前記第２の端末のデスクトップを更新するよう構成される更新モジュールと、
を含むモバイル端末を提供する。
【００２８】
本発明の実施例の第４の態様を参照して、本発明の実施例の第４の態様の第１の実現方式では、前記アプリケーションインタフェース要素は、デスクトップ壁紙、デスクトップアプリケーション、デスクトップウィジェットＷｉｄｇｅｔ又はデスクトップ上のフォルダを含む。
【００２９】
第４の態様又は本発明の実施例の第４の態様の第１の実現方式を参照して、本発明の実施例の第４の態様の第２の実現方式では、前記更新モジュールは、具体的には、
前記受信したデスクトップ描画ファイルに従って前記第２の端末のデスクトップ描画ファイルを更新するよう構成される更新ユニットと、
前記更新ユニットによって更新された前記第２の端末のデスクトップ描画ファイルに従って前記第２の端末のデスクトップを表示するよう構成される表示ユニットと、
を含む。
【００３０】
本発明の実施例の第４の態様の第２の実現方式を参照して、本発明の実施例の第４の態様の第３の実現方式では、前記表示ユニットは、具体的には、前記更新ユニットによって更新された前記第２の端末のデスクトップ描画ファイルに従って、前記第２の端末のデスクトップ壁紙を置換し、及び／又は前記第２の端末のデスクトップアイコンを配置するよう構成され、前記デスクトップアイコンは、前記デスクトップアプリケーションのアイコン、及び／又は前記デスクトップウィジェットのアイコン、及び／又は前記デスクトップ上のフォルダのアイコンを含む。
【００３１】
第４の態様又は本発明の実施例の第４の態様の第１から第３の実現方式の何れか１つを参照して、本発明の実施例の第４の態様の第４の実現方式では、前記少なくとも１つのアプリケーションインタフェース要素がデスクトップアプリケーションを含むとき、前記デスクトップ記述ファイルは更に、前記デスクトップアプリケーションのダウンロードリンクを含み、
当該モバイル端末は更に、
前記第１の端末のデスクトップアプリケーションが前記第２の端末上にインストールされていないとき、前記デスクトップ上のインストールされていないデスクトップアプリケーションをタップする操作を受信するよう構成される第４の受信モジュールと、
前記デスクトップ記述ファイルにおける前記デスクトップアプリケーションのダウンロードリンクを利用することによって、前記タップされたデスクトップアプリケーションをダウンロード及びインストールするよう構成されるインストールモジュールと、
を含む。
【００３２】
第４の態様又は本発明の実施例の第４の態様の第１から第４の実現方式の何れか１つを参照して、本発明の実施例の第４の態様の第５の実現方式では、前記第１のデスクトップ情報ファイルは更に、前記第１の端末のデスクトッププレビュー画像を含み、
当該モバイル端末は更に、
前記第１の端末のデスクトッププレビュー画像を表示するよう構成されるプレビュー表示モジュールと、
第３の操作が受信されると、前記更新モジュールをトリガするよう構成されるトリガモジュールと、
を含み、
前記第３の操作は前記受信したデスクトップ描画ファイルを利用することを決定するのに用いられる。
【００３３】
本発明の実施例の第５の態様は、第１の端末として機能し、デスクトップを共有するよう構成されるモバイル端末であって、
入力装置、出力装置、プロセッサ及びメモリを有し、
前記プロセッサは、前記メモリに記憶される処理命令を呼び出すことによって以下のステップ、
ユーザの第１の操作を受信するステップと、
前記第１の操作が第１の予め設定された条件を充足すると、前記第１の端末のデスクトップに従ってデスクトップ描画ファイルを決定するステップであって、前記デスクトップ描画ファイルは前記第１の端末のデスクトップ上の少なくとも１つの画面インタフェースのデスクトップ記述ファイル及びファイルパッケージを含み、前記デスクトップ記述ファイルは前記第１の端末のデスクトップ上の少なくとも１つのアプリケーションインタフェース要素の位置を含み、前記ファイルパッケージは前記少なくとも１つのアプリケーションインタフェース要素のサムネイルを含む、決定するステップと、
第２の端末が共有されるデスクトップ描画ファイルに従って前記第２の端末のデスクトップを更新するように、前記決定されたデスクトップ描画ファイルを共有するステップと、
を実行するよう構成されるモバイル端末を提供する。
【００３４】
本発明の実施例の第５の態様を参照して、本発明の実施例の第５の態様の第１の実現方式では、前記アプリケーションインタフェース要素は、デスクトップ壁紙、デスクトップアプリケーション、デスクトップウィジェットＷｉｄｇｅｔ又はデスクトップ上のフォルダを含む。
【００３５】
第５の態様又は本発明の実施例の第５の態様の第１の実現方式を参照して、本発明の実施例の第５の態様の第２の実現方式では、前記少なくとも１つのアプリケーションインタフェース要素がデスクトップアプリケーションを含むとき、前記デスクトップ記述ファイルは更に、前記デスクトップアプリケーションのダウンロードリンクを含む。
【００３６】
第５の態様又は本発明の実施例の第５の態様の第１及び第２の実現方式の何れかを参照して、本発明の実施例の第５の態様の第３の実現方式では、前記デスクトップ描画ファイルは更に、前記第１の端末のデスクトッププレビュー画像を含む。
【００３７】
第５の態様又は本発明の実施例の第５の態様の第１から第３の実現方式の何れか１つを参照して、本発明の実施例の第５の態様の第４の実現方式では、前記決定されたデスクトップ描画ファイルを共有するステップを実行するとき、前記プロセッサは、具体的には、以下のステップ、
無線接続を利用することによって、前記デスクトップ描画ファイルを前記第２の端末と直接的に共有するステップ、又は、
前記第２の端末がダウンロード及び使用するため、前記デスクトップ描画ファイルをソーシャルネットワークと共有するステップ
を実行するよう構成される。
【００３８】
第５の態様又は本発明の実施例の第５の態様の第１から第４の実現方式の何れか１つを参照して、本発明の実施例の第５の態様の第５の実現方式では、前記ユーザの第１の操作を受信するステップを実行するとき、前記プロセッサは、具体的には、以下のステップ、
前記ユーザのタップ操作を受信するステップと、
前記ユーザによるデスクトップ共有ボタンをタップする操作が受信されると、前記第１の操作が前記第１の予め設定された条件を充足すると判断するステップと、
を実行するよう構成される。
【００３９】
本発明の実施例の第５の態様の第５の実現方式を参照して、本発明の実施例の第５の態様の第６の実現方式では、前記ユーザのタップ操作を受信するステップを実行する前に、前記プロセッサは更に、以下のステップ、
前記ユーザの第２の操作を受信するステップと、
前記第２の操作が第２の予め設定された条件を充足するとき、デスクトップ編集インタフェースを入力するステップであって、前記デスクトップ共有ボタンは前記デスクトップ編集インタフェース上に表示される、入力するステップと、
を実行するよう構成される。
【００４０】
第５の態様又は本発明の実施例の第５の態様の第１から第６の実現方式の何れか１つを参照して、本発明の実施例の第５の態様の第７の実現方式では、前記ユーザの第１の操作を受信するステップを実行するとき、前記プロセッサは、具体的には、以下のステップ、
画面上の前記ユーザのスワイプ操作を受信するステップと、
スワイプトラックが所定の条件を充足するとき、前記第１の操作が前記第１の予め設定された条件を充足すると判断するステップと、
を実行する。
【００４１】
本発明の実施例の第６の態様は、第２の端末として機能し、共有されたデスクトップを利用するよう構成されるモバイル端末であって、
入力装置、出力装置、プロセッサ及びメモリを有し、
前記プロセッサは、前記メモリに記憶される処理命令を呼び出すことによって以下のステップ、
第１の端末によって共有されるデスクトップ描画ファイルを受信するステップであって、前記デスクトップ描画ファイルは前記第１の端末のデスクトップ上の少なくとも１つの画面インタフェースのデスクトップ記述ファイル及びファイルパッケージを含み、前記デスクトップ記述ファイルは前記第１の端末のデスクトップ上の少なくとも１つのアプリケーションインタフェース要素の位置を含み、前記ファイルパッケージは前記少なくとも１つのアプリケーションインタフェース要素のサムネイルを含む、受信するステップと、
前記受信したデスクトップ描画ファイルに従って前記第２の端末のデスクトップを更新するステップと、
を実行するよう構成される。
【００４２】
本発明の実施例の第６の態様を参照して、本発明の実施例の第６の態様の第１の実現方式では、前記アプリケーションインタフェース要素は、デスクトップ壁紙、デスクトップアプリケーション、デスクトップウィジェットＷｉｄｇｅｔ又はデスクトップ上のフォルダを含む。
【００４３】
第６の態様又は本発明の実施例の第６の態様の第１の実現方式を参照して、本発明の実施例の第６の態様の第２の実現方式では、前記受信したデスクトップ描画ファイルに従って前記第２の端末のデスクトップを更新するステップを実行するとき、前記プロセッサは、具体的には、以下のステップ、
前記受信したデスクトップ描画ファイルに従って前記第２の端末のデスクトップ描画ファイルを更新するステップと、
前記第２の端末の更新されたデスクトップ描画ファイルに従って前記第２の端末のデスクトップを表示するステップと、
を実行する。
【００４４】
第６の態様又は本発明の実施例の第６の態様の第１及び第２の実現方式の何れかを参照して、本発明の実施例の第６の態様の第３の実現方式では、前記第２の端末の更新されたデスクトップ描画ファイルに従って前記第２の端末のデスクトップを表示するステップを実行するとき、前記プロセッサは、具体的には、以下のステップ、
前記第２の端末の更新されたデスクトップ描画ファイルに従って、前記第２の端末のデスクトップ壁紙を置換し、及び／又は前記第２の端末のデスクトップアイコンを配置するステップを実行し、前記デスクトップアイコンは前記デスクトップアプリケーションのアイコン、及び／又は前記デスクトップウィジェットのアイコン、及び／又は前記デスクトップ上のフォルダのアイコンを含む。
【００４５】
第６の態様又は本発明の実施例の第６の態様の第１から第３の実現方式の何れか１つを参照して、本発明の実施例の第６の態様の第４の実現方式では、前記少なくとも１つのアプリケーションインタフェース要素がデスクトップアプリケーションを含むとき、前記デスクトップ記述ファイルは更に、前記デスクトップアプリケーションのダウンロードリンクを含み、
前記受信したデスクトップ描画ファイルに従って前記第２の端末のデスクトップを更新するステップを実行した後、前記プロセッサは更に、以下のステップ、
前記第１の端末のデスクトップアプリケーションが前記第２の端末にインストールされていないとき、前記デスクトップ上の前記インストールされていないデスクトップアプリケーションをタップする操作を受信するステップと、
前記デスクトップ記述ファイルにおける前記デスクトップアプリケーションのダウンロードリンクを利用することによって、前記タップされたデスクトップアプリケーションをダウンロード及びインストールするステップと、
を実行するよう構成される。
【００４６】
第６の態様又は本発明の実施例の第６の態様の第１から第４の実現方式の何れか１つを参照して、本発明の実施例の第６の態様の第５の実現方式では、前記第１のデスクトップ情報ファイルは更に、前記第１の端末のデスクトッププレビュー画像を含み、
前記第１の端末によって共有されるデスクトップ描画ファイルを受信するステップを実行した後であって、前記受信したデスクトップ描画ファイルに従って前記第２の端末のデスクトップを更新するステップを実行する前、前記プロセッサは更に、以下のステップ、
前記第１の端末のデスクトッププレビュー画像を表示するステップと、
第３の操作が受信されると、前記受信したデスクトップ描画ファイルに従って前記第２の端末のデスクトップを更新するステップをトリガするステップと、
を実行するよう構成され、
前記第３の操作は前記受信したデスクトップ描画ファイルを使用することを決定するのに用いられる。
【００４７】
本発明の実施例が以下の効果を有することが、上記の技術的解決策から知ることができる。第１の端末は、第１の端末によって受信されたユーザの第１の操作が第１の予め設定された条件を充足すると、第１の端末のデスクトップに従ってデスクトップ描画ファイルを決定し、ここで、デスクトップ描画ファイルは第１の端末のデスクトップ上の少なくとも１つの画面インタフェースのデスクトップ記述ファイル及びファイルパッケージを含み、デスクトップ記述ファイルは第１の端末のデスクトップ上の少なくとも１つのアプリケーションインタフェース要素の位置を含み、ファイルパッケージは少なくとも１つのアプリケーションインタフェース要素のサムネイルを含み、第１の端末は、第２の端末が共有されるデスクトップ描画ファイルに従って第２の端末のデスクトップを更新するように、決定されたデスクトップ描画ファイルを共有する。モバイル端末のデスクトップ上の少なくとも１つの画面インタフェース上の少なくとも１つのアプリケーションインタフェース要素が共有され、これにより、モバイル端末のデスクトップの共有が実現され、ユーザによるモバイル端末のデスクトップ上の１つ以上の全画面インタフェースを共有及び利用するための要件が充足される。
【図面の簡単な説明】
【００４８】
【図１】図１は、本発明の実施例によるデスクトップ共有方法の概略的なフローチャートである。
【図２】図２は、本発明の実施例によるデスクトップ共有方法の一例となる概略図である。
【図３】図３は、本発明の実施例によるデスクトップ共有方法の他の一例となる概略図である。
【図４】図４は、本発明の実施例によるデスクトップ共有方法の他の一例となる概略図である。
【図５】図５は、本発明の実施例によるデスクトップ共有方法の他の一例となる概略図である。
【図６】図６は、本発明の実施例によるデスクトップ共有方法の他の一例となる概略図である。
【図７】図７は、本発明の実施例によるデスクトップ共有方法の他の一例となる概略図である。
【図８】図８は、本発明の実施例によるデスクトップ共有方法の他の一例となる概略図である。
【図９】図９は、本発明の実施例によるモバイル端末の概略的な構成図である。
【図１０】図１０は、本発明の実施例によるモバイル端末の他の概略的な構成図である。
【図１１】図１１は、本発明の実施例によるモバイル端末の他の概略的な構成図である。
【図１２】図１２は、本発明の実施例によるモバイル端末の他の概略的な構成図である。
【図１３】図１３は、本発明の実施例によるモバイル端末の他の概略的な構成図である。
【図１４】図１４は、本発明の実施例によるモバイル端末の他の概略的な構成図である。
【図１５】図１５は、本発明の実施例によるモバイル端末の他の概略的な構成図である。
【図１６】図１６は、本発明の実施例によるモバイル端末の他の概略的な構成図である。
【図１７】図１７は、本発明の実施例によるモバイル端末の他の概略的な構成図である。
【発明を実施するための形態】
【００４９】
以下は、本出願の実施例における添付図面を参照して、本出願の実施例における技術的解決策を明確且つ完全に説明する。明らかに、説明される実施例は、本出願の実施例の全てではなく単なる一部である。創作的努力なく本出願の実施例に基づき当業者によって得られる他の全ての実施例は、本発明の保護範囲内に属する。
【００５０】
本発明の実施例におけるデスクトップ共有方法は、第１の態様では、本発明の実施例における第１の端末として参照されるデスクトップを共有する端末と、第２の態様では、本発明の実施例における第２の端末として参照される共有デスクトップを受信する端末との２つの態様における実行主体に関する。
【００５１】
端末は端末のデスクトップ描画ファイルを読むことによってデスクトップを描画することが理解されてもよい。端末のデスクトップは複数の画面インタフェースを含んでもよく、デスクトップ上の各画面インタフェースの位置又は番号がデスクトップ描画ファイルにおいてマーキングされてもよい。本発明の実施例におけるデスクトップ共有方法では、第１の端末は、ここに限定されない、デスクトップ上の１つの画面インタフェースを共有するか、あるいは同時に複数の画面インタフェースを共有してもよい。共有デスクトップ描画ファイルを受信した後、第２の端末は、ここに限定されない、第２の端末のデスクトップ上のホーム画面インタフェース上に共有画面インタフェースを表示してもよいし、あるいは、第２の端末のデスクトップ上にあって、その番号が共有画面インタフェースの番号と同じである画面インタフェースを置換してもよい。
【００５２】
図１を参照して、本発明の実施例におけるデスクトップ共有方法の実施例は以下のステップを含む。
【００５３】
１０１．第１の端末は、ユーザの第１の操作を受信する。
【００５４】
第１の端末は、ユーザの第１の操作を受信し、ここで、第１の操作はデスクトップ共有をトリガするのに利用される。
【００５５】
第１の操作は多くのタイプを有し、対応して、デスクトップ共有のトリガを満たすための所定の第１の予め設定された条件もまた多くのタイプを有してもよいことが理解されてもよい。例えば、任意的には、第１の操作はユーザのタップ操作であってもよく、第１の予め設定された条件は、ユーザがデスクトップ共有ボタンをタップすることであってもよい。従って、ユーザによるデスクトップ共有ボタンをタップする操作を受信すると、第１の端末は、第１の操作が第１の予め設定された条件を満たすと判断してもよい。任意的に、第１の操作はまた、画面上のユーザのスワイプ操作であってもよく、第１の予め設定された条件は所定のスワイプトラックであってもよい。従って、画面上のユーザのスワイプトラックが所定の条件を満たすと判断すると、第１の端末は、第１の操作が第１の予め設定された条件を満たすと判断してもよい。実際の適用状況によると、別の第１の操作及び対応する第１の予め設定された条件が設定されてもよく、それはここでは限定されない。
【００５６】
任意的に、本発明の本実施例におけるデスクトップ共有方法の別の実施例では、第１の操作がユーザのタップ操作であり、第１の予め設定された条件がユーザがデスクトップ共有ボタンをタップすることであるとき、デスクトップ共有ボタンは複数の異なる位置に配置されてもよい。任意的に、デスクトップ共有ボタンは第１の端末のデスクトップ上に直接配置されてもよく、デスクトップ上の各画面インタフェース上に表示されてもよい。任意的に、デスクトップ共有ボタンはデスクトップ編集インタフェース上に表示されてもよく、第２の端末がデスクトップ編集インタフェースに入り、第１の端末がユーザの第２の操作を受信し、第２の操作が第２の予め設定された条件を満たすときにのみ、デスクトップ共有ボタンがデスクトップ編集インタフェース上に表示されてもよく、それはここでは限定されない。
【００５７】
１０２．第１の端末は、第１の操作が第１の予め設定された条件を充足するとき、第１の端末のデスクトップに従ってデスクトップ描画ファイルを決定し、ここで、デスクトップ描画ファイルは、第１の端末のデスクトップ上の少なくとも１つの画面インタフェースのデスクトップ記述ファイル及びファイルパッケージを含み、デスクトップ記述ファイルは第１の端末のデスクトップ上の少なくとも１つのアプリケーションインタフェース要素の位置を含み、ファイルパッケージは少なくとも１つのアプリケーションインタフェース要素のサムネイルを含む。
【００５８】
第１の操作が第１の予め設定された条件を充足すると判断すると、第１の端末は、第１の端末のデスクトップに従ってデスクトップ描画ファイルを決定する。デスクトップ描画ファイルは、デスクトップ又はデスクトップ上の画面インタフェースを描画するのに利用されてもよい。デスクトップ描画ファイルは、第１の端末のデスクトップ上の少なくとも１つの画面インタフェースのデスクトップ記述ファイル及びファイルパッケージを含み、デスクトップ記述ファイルは第１の端末のデスクトップ上の少なくとも１つのアプリケーションインタフェース要素の位置を含み、ファイルパッケージは少なくとも１つのアプリケーションインタフェース要素のサムネイルを含む。
【００５９】
アプリケーションインタフェース要素は、デスクトップ壁紙、デスクトップアプリケーション、デスクトップウィジェットＷｉｄｇｅｔ又はデスクトップ上のフォルダであってもよいことが留意されるべきである。本実施例では、共有のため決定されるデスクトップ上の画面インタフェース上のアプリケーションインタフェース要素に従って、デスクトップ描画ファイルに含まれるアプリケーションインタフェース要素は、デスクトップ壁紙、デスクトップアプリケーション、デスクトップウィジェットＷｉｄｇｅｔ又はデスクトップ上のフォルダの少なくとも１つであってもよい。
【００６０】
任意的には、第１の操作が第１の予め設定された条件を充足するときであって、第１の端末がデスクトップ描画ファイルを決定する前に、第１の端末は更に、共有される必要のある少なくとも１つのアプリケーションインタフェース要素を選択する操作をさらに受信する。選択されたアプリケーションインタフェース要素は、１つの画面インタフェース上に配置されてもよいし、あるいは、複数の画面インタフェース上に配置されてもよい。第１の端末は、決定されたデスクトップ描画ファイルに選択されたアプリケーションインタフェース要素に関する情報と、選択されたアプリケーションインタフェース要素が配置される画面インタフェースに関する情報のみを含ませてもよい。すなわち、共有されるデスクトップ描画ファイルには、選択されていないアプリケーションインタフェース要素に関する情報を含まなくてもよく、ユーザのプライバシがより良好に保護できる。
【００６１】
任意的に、デスクトップ記述ファイルはＸＭＬフォーマットにおけるファイルであってもよく、ファイルパッケージは圧縮されたファイルパッケージであってもよい。
【００６２】
デスクトップ記述ファイルは、共有デスクトップ上の画面インタフェース上の各アプリケーションインタフェース要素、第１の端末のデスクトップ上に表示される各アプリケーションインタフェース要素の位置、およびパッケージ名および名前を記述する各アプリケーションインタフェース要素のさらに、デスクトップ記述ファイルは、アプリケーションインタフェース要素のサムネイルがファイルパッケージに格納される場所を含む。ファイルパッケージには、アプリケーションインタフェース要素のサムネイルが含まれています。デスクトップ記述ファイルおよびファイルパッケージを含むデスクトップ描画ファイルを使用して、デスクトップまたはデスクトップ上のスクリーンインタフェースを描画することができる。
【００６３】
任意的に、デスクトップ描画ファイルは更に、第１の端末のデスクトッププレビュー画像を含んでもよい。具体的には、デスクトッププレビュー画像に関する情報はデスクトップ記述ファイルに記録されてもよく、デスクトッププレビュー画像はファイルパッケージに記憶されてもよい。
【００６４】
任意的には、共有される画面インタフェースがデスクトップアプリケーションを含むとき、デスクトップ記述ファイルは更に、デスクトップアプリケーションのダウンロードリンクを含んでもよいか、あるいは、ファイルパッケージは、デスクトップアプリケーションのソフトウェアを含んでもよい。対応して、デスクトップ壁紙、デスクトップウィジェットなどについて、デスクトップ記述ファイルは更に対応するダウンロードリンクを含んでもよく、それはここでは限定されない。
【００６５】
１０３．第１の端末は、決定されたデスクトップ描画ファイルを共有する。
【００６６】
デスクトップ描画ファイルを決定した後、端末は決定されたデスクトップ描画ファイルを共有する。
【００６７】
デスクトップ描画ファイルは多くの方法で共有されてもよいことが留意されるべきである。任意的に、第１の端末は、無線接続を利用することによってデスクトップ描画ファイルを第２の端末と直接共有する。任意的には、第１の端末は、第２の端末がダウンロード及び利用するためソーシャルネットワークとデスクトップ描画ファイルを共有し、更に他の方法があってもよく、それはここでは限定されない。
【００６８】
１０４．第２の端末は、第１の端末によって共有されるデスクトップ描画ファイルを受信する。
【００６９】
第２の端末は、第１の端末によって共有されるデスクトップファイルを受信する。
【００７０】
任意的に、第２の端末は、無線接続を利用することによって、第１の端末によって送信されたデスクトップ描画ファイルを直接受信してもよい。
【００７１】
任意的には、第２の端末はまた、ソーシャルネットワークから第１の端末によって共有されるデスクトップファイルをダウンロードしてもよい。
【００７２】
１０５．第２の端末は、受信したデスクトップ描画ファイルに従って第２の端末のデスクトップを更新する。
【００７３】
第１の端末によって共有されるデスクトップ描画ファイルを受信した後、第２の端末は、受信したデスクトップ描画ファイルに従って第２の端末のデスクトップを更新する。
【００７４】
具体的には、第２の端末は、受信したデスクトップ描画ファイルに従って第２の端末のデスクトップ描画ファイルを更新してもよく、ここで、第２の端末のデスクトップ描画ファイルは、第２の端末のデスクトップを描画するのに利用される。第２の端末は、第２の端末の更新されたデスクトップ描画ファイルに従って第２の端末のデスクトップを表示する。具体的には、第２の端末は、第２の端末の更新されたデスクトップ描画ファイルに従って、第２の端末のデスクトップ壁紙を置換し、及び／又は第２の端末のデスクトップアイコンを配置してもよく、ここで、デスクトップアイコンは、デスクトップアプリケーションのアイコン、及び／又はデスクトップウィジェットのアイコン、及び／又はデスクトップ上のフォルダのアイコンを含む。第２の端末のデスクトップアイコンは第２の端末の更新されたデスクトップ描画ファイルに従って配置されることが理解されてもよい。共有される画面インタフェースが第２の端末の既存の画面インタフェース上に表示される場合、それは、第１の端末のデスクトップ上にあって、第２の端末のデスクトップ上のアプリケーションインタフェース要素を置換するよう第１の端末によって決定されるデスクトップ描画ファイルにあるアプリケーションインタフェース要素を利用することと等価である。画面インタフェースが共有される画面インタフェースを表示するために第２の端末上に追加される場合、それは第２の端末のデスクトップ上の新しく追加された画面インタフェース上に、第１の端末のデスクトップ上にあって、第１の端末によって決定されたデスクトップ描画ファイルにあるアプリケーションインタフェース要素を直接表示することに等価である。
【００７５】
任意的に、本発明の本実施例によるデスクトップ共有方法の別の実施例では、受信されたデスクトップ描画ファイルは更に、第１の端末のデスクトップテーマを含み、第２の端末は更に第１の端末のデスクトップテーマを適用してもよい。
【００７６】
任意的に、本発明の本実施例によるデスクトップ共有方法の別の実施例では、第１の端末の共有される画面インタフェースがデスクトップアプリケーションを含むとき、デスクトップ記述ファイルは更に、デスクトップアプリケーションのダウンロードリンクを含んでもよい。第１の端末の画面インタフェース上のデスクトップアプリケーションが第２の端末にインストールされていない場合、第２の端末は、デスクトップ上のインストールされていないデスクトップアプリケーションをタップする操作を受信してもよく、第２の端末は、デスクトップ記述ファイルにおけるデスクトップアプリケーションのダウンロードリンクを利用することによって、タップされたデスクトップアプリケーションをダウンロードしてもよい。
【００７７】
任意的に、本発明の本実施例によるデスクトップ共有方法の別の実施例では、第２の端末にインストールされていないが、第１の端末の共有される画面インタフェース上に表示されるデスクトップアプリケーションが第２の端末のデスクトップ上に表示されるとき、特別なマークが、表示されたデスクトップアプリケーションのアイコン上に追加されてもよい。例えば、“ダウンロードされていない”などの単語が追加されたり、あるいは、ぼかし表示が使用され、それはここでは限定されない。
【００７８】
任意的に、本発明の本実施例によるデスクトップ共有方法の別の実施例では、第１のデスクトップ情報ファイルは更に、第１の端末のデスクトッププレビュー画像を含む。第１の端末が第２の端末によって共有されるデスクトップ描画ファイルを受信した後、第２の端末が受信したデスクトップ描画ファイルに従って第２の端末のデスクトップを更新する前、当該方法は更に、第１の端末のデスクトッププレビュー画像を表示し、第３の操作が受信されると、受信したデスクトップ描画ファイルに従って第２の端末のデスクトップの第２の端末による更新するステップをトリガすることを含んでもよく、ここで、第３の操作は受信したデスクトップ描画ファイルを利用することを決定するため用いられる。
【００７９】
本発明の本実施例では、第１の端末は、第１の端末によって受信されたユーザの第１の操作が第１の予め設定された条件を充足すると、第１の端末のデスクトップに従ってデスクトップ描画ファイルを決定し、ここで、デスクトップ描画ファイルは、第１の端末のデスクトップ上の少なくとも１つの画面インタフェースのデスクトップ記述ファイル及びファイルパッケージを含み、デスクトップ記述ファイルは第１の端末のデスクトップ上の少なくとも１つのスクリーンインタフェース要素の位置を含み、ファイルパッケージは少なくとも１つのアプリケーションインタフェース要素のサムネイルを含み、第１の端末は決定されたデスクトップ描画ファイルを共有し、第２の端末は、共有されるデスクトップ描画ファイルに従って第２の端末のデスクトップを更新する。モバイル端末のデスクトップ上の少なくとも１つの画面インタフェース上の少なくとも１つのアプリケーションインタフェース要素が共有され、これにより、モバイル端末のデスクトップの共有が実現され、ユーザによるモバイル端末のデスクトップ上の１つ以上の全画面インタフェースを共有及び利用するための要件が充足される。
【００８０】
理解の容易のため、以下は、本発明の本実施例におけるデスクトップ共有方法を説明するために、特定のアプリケーションシナリオを使用する。
【００８１】
第１の端末のユーザは、人気のある確認されたアカウント、技術才能又はマイクロブログ上の他の周知の図であってもよく、第２の端末のユーザは、第１の端末のユーザのフォロワ、通常のユーザなどであってもよい。
【００８２】
図２は、第１の端末のデスクトップの概略図を示す。第１の端末のデスクトップが図２に示されるような画面インタフェース２０１、画面インタフェース２０２及び画面インタフェース２０３である３つの画面インタフェースを有することがわかりうる。
【００８３】
図３は、第２の端末のデスクトップの概略図を示す。第２の端末のデスクトップが図３に示されるような画面インタフェース３０１及び画面インタフェース３０２である２つの画面インタフェースを有することがわかりうる。
【００８４】
実際の適用では、１つの状況では、デスクトップ共有ボタンは、第１の端末の各画面インタフェース上に直接表示されてもよい。図４に示されるように、デスクトップ共有ボタン４０４が画面インタフェース２０２上に表示される。
【００８５】
別の状況では、画面インタフェース２０２が第１の端末上に表示され、第１の端末はユーザによる画面インタフェース上の何れか１つのアイコンをタッチ及び保持する操作を受信する。第１の端末は、デスクトップ編集モードに入る。図５に示されるように、デスクトップ編集モードでは、デスクトップ共有ボタン５０１は画面インタフェース２０２上に表示される。
【００８６】
第１の端末がユーザによるデスクトップ共有ボタン４０４又はデスクトップ共有ボタン５０１をタップする操作を受信すると、第１の端末は、ユーザが選択するための共有方式のポップアップボックスをポップアップする。第１の端末は、ユーザによるソーシャルネットワークへの共有又は無線直接接続（ＷｉＦｉ又はＢｌｕｅｔｏｏｔｈなど）方式で直接共有をサポートする。
【００８７】
第１の端末は、ユーザによって選択された共有方法を受信する（例えば、ソーシャルネットワークへの共有が選択される）。
【００８８】
シナリオ１では、第１の端末は、デフォルトで現在表示されている画面インタフェース２０２を共有する。第１の端末はデスクトップ描画ファイルを決定し、ここで、デスクトップ描画ファイルは、デスクトップ記述ファイル及びファイルパッケージを含む。デスクトップ記述ファイルは、画面インタフェース２０２上の各アプリケーションインタフェース要素の位置、ファイル名、パッケージ名及びダウンロードリンクを含む。例えば、デスクトップ記述ファイルは、画面インタフェース２０２上のユーティリティフォルダ４０１の位置を含み、ここで、ユーティリティフォルダ４０１は、アイコンの名称及び配置位置、画面インタフェース２０２上のクロックアプリケーション４０２の位置及びダウンロードリンク、デスクトップ上の情報ウィジェット４０３の位置、及び他のデスクトップインタフェース要素に関する関連情報を含む。ファイルパッケージは、アプリケーションインタフェース要素のサムネイル、デスクトップ壁紙及び画面インタフェース２０２のサムネイルを含む。
【００８９】
第１の端末は、決定されたデスクトップ描画ファイルをソーシャルネットワークと共有する。
【００９０】
第２の端末は、ソーシャルネットワークから第１の端末によって共有されるデスクトップ描画ファイルをダウンロードする。第２の端末は、デスクトップ描画ファイルを解析し、まずファイルパッケージに含まれる画面インタフェース２０２のサムネイルを読み、次に画面インタフェース２０２のサムネイルを表示する。
【００９１】
第２の端末は、ユーザによるデスクトップ描画ファイルを利用することを決定する操作を受信する。ユーザの選択に従って、いくつかの状況がある。
【００９２】
１．第２の端末は、第２の端末のデスクトップ描画ファイルにおける現在表示されている画面インタフェース（画面インタフェース３０１など）を置換するため、デスクトップ描画ファイルによって示される画面インタフェース２０２を使用してもよく、第２の端末の更新されたデスクトップが図６に示される。
【００９３】
２．第２の端末は、第２の端末のデスクトップ描画ファイルにあって、その番号が画面インタフェース２０２のものと同じである画面インタフェース（画面インタフェース３０２など）を置換するため、デスクトップ描画ファイルによって示される画面インタフェース２０２を使用してもよく、第２の端末の更新されたデスクトップが図７に示される。
【００９４】
３．第２の端末は、デスクトップ描画ファイルによって示される画面インタフェース２０２を第２の端末の現在のデスクトップ描画ファイルに追加してもよく、第２の端末の更新されたデスクトップが図８に示される。
【００９５】
第２の端末がデスクトップを更新した後、クロックアプリケーション４０２が第２の端末上にインストールされていない場合、ユーザによるクロックアプリケーション４０２をタップする操作を受信すると、第２の端末は、アプリケーションをダウンロード及びインストールするため、デスクトップ描画ファイルに含まれるクロックアプリケーションのダウンロードリンクを利用してもよい。
【００９６】
シナリオ２において、第１の端末は、ユーザが共有のためのいくつかの画面インタフェースを選択することを可能にする。ユーザが共有のための画面インタフェース２０１及び画面インタフェース２０２を選択した場合、第１の端末はデスクトップ描画ファイルを決定し、ここで、デスクトップ描画ファイルは、デスクトップ記述ファイル及びファイルパッケージを含む。デスクトップ記述ファイルは、画面インタフェース２０２及び画面インタフェース２０３上の各アプリケーションインタフェース要素の位置、ファイル名、パッケージ名及びダウンロードリンクを含む。
【００９７】
デスクトップ描画ファイルを受信した後であって、ユーザの選択に従って第２の端末のデスクトップ描画ファイルを更新するとき、第２の端末は、第２の端末のデスクトップ描画ファイルを置換してもよいし、あるいは、デスクトップ描画ファイルを第２の端末のデスクトップ描画ファイルに加えてもよい。
【００９８】
第１の端末によって決定されたデスクトップ描画ファイルは更に、デスクトップテーマ、デスクトップ壁紙などを含んでもよく、具体的には、デスクトップテーマの記述及びダウンロードリンクと、デスクトップ壁紙のテーマ及びダウンロードリンクとを含んでもよい。
【００９９】
第２の端末上のデスクトップテーマ又はデスクトップ壁紙が、第２の端末がデスクトップを更新するときに変更されない場合、ダウンロードリンクを利用することによってデスクトップテーマ又はデスクトップ壁紙をダウンロードした後、第２の端末は、ダウンロードしたデスクトップ壁紙によりデスクトップ壁紙を置換し、ダウンロードしたデスクトップテーマを適用してもよい。
【０１００】
以下は、本発明の実施例における第２の端末及び第２の端末として機能するモバイル端末を別々に説明する。
【０１０１】
１．第１の端末として機能し、デスクトップを共有するモバイル端末
【０１０２】
図９を参照して、本発明の実施例によるモバイル端末の実施例は、
ユーザの第１の操作を受信するよう構成される第１の受信モジュール９０１と、
第１の受信モジュール９０１によって受信された第１の操作が第１の予め設定された条件を充足すると、第１の端末のデスクトップに従ってデスクトップ描画ファイルを決定するよう構成される決定モジュール９０２であって、デスクトップ描画ファイルは第１の端末のデスクトップ上の少なくとも１つの画面インタフェースのデスクトップ記述ファイル及びファイルパッケージを含み、デスクトップ記述ファイルは第１の端末のデスクトップ上の少なくとも１つのアプリケーションインタフェース要素の位置を含み、ファイルパッケージは少なくとも１つのアプリケーションインタフェース要素のサムネイルを含む、決定モジュール９０２と、
第２の端末が共有されるデスクトップ描画ファイルに従って第２の端末のデスクトップを更新するように、決定されたデスクトップ描画ファイルを共有するよう構成される共有モジュール９０３と、
を有する。
【０１０３】
本発明の本実施例では、決定モジュール９０２は、第１の受信モジュール９０１によって受信された第１の操作が第１の予め設定された条件を充足すると、第１の端末のデスクトップに従ってデスクトップ描画ファイルを決定し、ここで、デスクトップ描画ファイルは第１の端末のデスクトップ上の少なくとも１つの画面インタフェースのデスクトップ記述ファイル及びファイルパッケージを含み、デスクトップ記述ファイルは第１の端末のデスクトップ上の少なくとも１つのアプリケーションインタフェース要素の位置を含み、ファイルパッケージは少なくとも１つのアプリケーションインタフェース要素のサムネイルを含み、共有モジュール９０３は、第２の端末が共有されるデスクトップ描画ファイルに従って第２の端末のデスクトップを更新するように、決定されたデスクトップ描画ファイルを共有する。モバイル端末のデスクトップ上の少なくとも１つの画面インタフェース上の少なくとも１つのアプリケーションインタフェース要素が共有され、これにより、モバイル端末のデスクトップの共有が実現され、ユーザによるモバイル端末のデスクトップ上の１つの以上の全画面インタフェースを共有及び利用する要件が充足される。
【０１０４】
上記のアプリケーションインタフェース要素は、デスクトップ壁紙、デスクトップアプリケーション、デスクトップウィジェットＷｉｄｇｅｔ又はデスクトップ上のフォルダを含む。
【０１０５】
任意的に、少なくとも１つのアプリケーションインタフェース要素がデスクトップアプリケーションを含むとき、デスクトップ記述ファイルは更に、デスクトップアプリケーションのダウンロードリンクを含む。
【０１０６】
任意的に、上記のデスクトップ描画ファイルは更に、第１の端末のデスクトッププレビュー画像を含む。
【０１０７】
任意的に、本発明の本実施例によるモバイル端末の他の実施例では、共有モジュール９０３は、具体的には、無線接続を利用することによって、デスクトップ描画ファイルを第２の端末と直接的に共有するか、又は、第２の端末がダウンロード及び使用するため、デスクトップ描画ファイルをソーシャルネットワークと共有するよう構成される。
【０１０８】
任意的に、本発明の本実施例によるモバイル端末の他の実施例では、上記の第１の受信モジュール９０１は、具体的には、
ユーザのタップ操作を受信するよう構成される第１の受信ユニット１００１と、
第１の受信ユニット１００１がユーザによるデスクトップ共有ボタンをタップする操作を受信すると、第１の操作は第１の予め設定された条件を充足すると判断するよう構成される第１の判断ユニット１００２と、
を含む。
【０１０９】
任意的に、図１１を参照して、本発明の本実施例によるモバイル端末の他の実施例では、図１０に示されるモバイル端末は更に、
ユーザの第２の操作を受信するよう構成される第２の受信モジュール１１０１と、
第２の受信モジュール１１０１によって受信された第２の操作が第２の予め設定された条件を充足すると、デスクトップ編集インタフェースを表示するよう構成されるボタン表示モジュール１１０２と、
を含み、
デスクトップ共有ボタンはデスクトップ編集インタフェース上に表示される。
【０１１０】
任意的に、図１２を参照して、本発明の本実施例によるモバイル端末の他の実施例では、図９に示されるモバイル端末における第１の受信モジュール９０１は、具体的には、
画面上のユーザのスワイプ操作を受信するよう構成される第２の受信ユニット１２０１と、
スワイプトラックが所定の条件を充足すると、第１の操作が第１の予め設定された条件を充足すると判断するよう構成される第２の判断ユニット１２０２と、
を含む。
【０１１１】
２．第２の端末として機能し、共有デスクトップを利用するよう構成されるモバイル端末
【０１１２】
図１３を参照して、本発明の実施例によるモバイル端末の他の実施例は、
第１の端末によって共有されるデスクトップ描画ファイルを受信するよう構成される第３の受信モジュール１３０１であって、デスクトップ描画ファイルは第１の端末のデスクトップ上の少なくとも１つの画面インタフェースのデスクトップ記述ファイル及びファイルパッケージを含み、デスクトップ記述ファイルは第１の端末のデスクトップ上の少なくとも１つのアプリケーションインタフェース要素の位置を含み、ファイルパッケージは少なくとも１つのアプリケーションインタフェース要素のサムネイルを含む、第３の受信モジュール１３０１と、
第３の受信モジュール１３０１によって受信されたデスクトップ描画ファイルに従って第２の端末のデスクトップを更新するよう構成される更新モジュール１３０２と、
を含む。
【０１１３】
本発明の本実施例では、第３の受信モジュール１３０１は、第１の端末によって共有されるデスクトップ描画ファイルを受信し、更新モジュール１３０２は、受信されたデスクトップ描画ファイルに従って第２の端末のデスクトップを更新し、これにより、第２の端末のデスクトップはユーザの要件をより良好に充足し、端末のマンマシーンインタラクション性能が向上する。
【０１１４】
上記のアプリケーションインタフェース要素は、デスクトップ壁紙、デスクトップアプリケーション、デスクトップウィジェットＷｉｄｇｅｔ又はデスクトップ上のフォルダを含む。
【０１１５】
任意的に、図１４を参照して、本発明の本実施例によるモバイル端末の他の実施例では、上記の更新モジュール１３０２は、具体的には、
受信したデスクトップ描画ファイルに従って第２の端末のデスクトップ描画ファイルを更新するよう構成される更新ユニット１４０１と、
更新ユニット１４０１によって更新された第２の端末のデスクトップ描画ファイルに従って第２の端末のデスクトップを表示するよう構成される表示ユニット１４０２と、
を含む。
【０１１６】
任意的に、本発明の本実施例によるモバイル端末の他の実施例では、上記の表示ユニット１４０２は、具体的には、更新ユニットによって更新された第２の端末のデスクトップ描画ファイルに従って、第２の端末のデスクトップ壁紙を置換し、及び／又は第２の端末のデスクトップアイコンを配置するよう構成され、ここで、デスクトップアイコンは、デスクトップアプリケーションのアイコン、及び／又はデスクトップウィジェットのアイコン、及び／又はデスクトップ上のフォルダのアイコンを含む。
【０１１７】
任意的に、図１３を参照して、本発明の本実施例によるモバイル端末の他の実施例では、少なくとも１つのアプリケーションインタフェース要素がデスクトップアプリケーションを含むとき、デスクトップ記述ファイルは更に、デスクトップアプリケーションのダウンロードリンクを含む。
【０１１８】
当該モバイル端末は更に、
第１の端末のデスクトップアプリケーションが第２の端末上にインストールされていないとき、デスクトップ上のインストールされていないデスクトップアプリケーションをタップする操作を受信するよう構成される第４の受信モジュール１３０１と、
デスクトップ記述ファイルにおけるデスクトップアプリケーションのダウンロードリンクを利用することによって、タップされたデスクトップアプリケーションをダウンロード及びインストールするよう構成されるインストールモジュール１３０２と、
を含む。
【０１１９】
任意的に、図１６を参照して、本発明の本実施例によるモバイル端末の他の実施例では、第１のデスクトップ情報ファイルは更に、第１の端末のデスクトッププレビュー画像を含む。
【０１２０】
当該モバイル端末は更に、
第１の端末のデスクトッププレビュー画像を表示するよう構成されるプレビュー表示モジュール１６０１と、
第３の操作が受信されると、更新モジュール１３０２をトリガするよう構成されるトリガモジュール１６０２と、
を含み、
ここで、第３の操作は受信したデスクトップ描画ファイルを利用することを決定するのに用いられる。
【０１２１】
上記は利用される機能エンティティの観点から本発明の本実施例におけるモバイル端末を説明している。以下は、ハードウェア処理の観点から本発明の実施例におけるモバイル端末を説明する。図１７を参照して、図１７は、本発明の実施例によるモバイル端末の概略的な構成図であり、ここで、モバイル端末は、第１の端末として機能するモバイル端末であってもよいし、あるいは、第２の端末として機能するモバイル端末であってもよい。本発明の本実施例におけるモバイル端末１７００の他の実施例は、
入力装置１７０１、出力装置１７０２、プロセッサ１７０３及びメモリ１７０４（モバイル端末１７００には１つ以上のプロセッサ１７０３があってもよく、１つのプロセッサ１７０３は図１７における具体例として用いられる）を含む。本発明のいくつかの実施例では、入力装置１７０１、出力装置１７０２、プロセッサ１７０３及びメモリ１７０４は、バスを利用することによって、あるいは他の手段によって接続されてもよく、図１７は、具体例としてバスを利用する。
【０１２２】
図１７に示されるモバイル端末が第１の端末として機能するモバイル端末であるとき、プロセッサ１７０３は、メモリ１７０４に記憶される処理命令を呼び出すことによって以下のステップ、
ユーザの第１の操作を受信するステップと、
第１の操作が第１の予め設定された条件を充足すると、第１の端末のデスクトップに従ってデスクトップ描画ファイルを決定するステップであって、デスクトップ描画ファイルは第１の端末のデスクトップ上の少なくとも１つの画面インタフェースのデスクトップ記述ファイル及びファイルパッケージを含み、デスクトップ記述ファイルは第１の端末のデスクトップ上の少なくとも１つのアプリケーションインタフェース要素の位置を含み、ファイルパッケージは少なくとも１つのアプリケーションインタフェース要素のサムネイルを含む、決定するステップと、
第２の端末が共有されるデスクトップ描画ファイルに従って第２の端末のデスクトップを更新するように、決定されたデスクトップ描画ファイルを共有するステップと、
を実行するよう構成される。
【０１２３】
本発明のいくつかの実施例では、アプリケーションインタフェース要素は、デスクトップ壁紙、デスクトップアプリケーション、デスクトップウィジェットＷｉｄｇｅｔ又はデスクトップ上のフォルダを含む。
【０１２４】
本発明のいくつかの実施例では、少なくとも１つのアプリケーションインタフェース要素がデスクトップアプリケーションを含むとき、デスクトップ記述ファイルは更に、デスクトップアプリケーションのダウンロードリンクを含む。
【０１２５】
本発明のいくつかの実施例では、デスクトップ描画ファイルは更に、第１の端末のデスクトッププレビュー画像を含む。
【０１２６】
本発明のいくつかの実施例では、決定されたデスクトップ描画ファイルを共有するステップを実行するとき、プロセッサ１７０３は、具体的には、以下のステップ、
無線接続を利用することによって、デスクトップ描画ファイルを第２の端末と直接的に共有するステップ、又は、
第２の端末がダウンロード及び使用するため、デスクトップ描画ファイルをソーシャルネットワークと共有するステップ
を実行するよう構成される。
【０１２７】
本発明のいくつかの実施例では、ユーザの第１の操作を受信するステップを実行するとき、プロセッサ１７０３は、具体的には、以下のステップ、
ユーザのタップ操作を受信するステップと、
ユーザによるデスクトップ共有ボタンをタップする操作が受信されると、第１の操作が第１の予め設定された条件を充足すると判断するステップと、
を実行するよう構成される。
【０１２８】
本発明のいくつかの実施例では、ユーザのタップ操作を受信するステップを実行する前に、プロセッサ１７０３は更に、以下のステップ、
ユーザの第２の操作を受信するステップと、
第２の操作が第２の予め設定された条件を充足するとき、デスクトップ編集インタフェースを入力するステップであって、デスクトップ共有ボタンはデスクトップ編集インタフェース上に表示される、入力するステップと、
を実行するよう構成される。
【０１２９】
本発明のいくつかの実施例では、ユーザの第１の操作を受信するステップを実行するとき、プロセッサ１７０３は、具体的には、以下のステップ、
画面上のユーザのスワイプ操作を受信するステップと、
スワイプトラックが所定の条件を充足するとき、第１の操作が第１の予め設定された条件を充足すると判断するステップと、
を実行する。
【０１３０】
図１７に示されるモバイル端末が第２の端末として機能するモバイル端末であるとき、プロセッサ１７０３は、メモリ１７０４に記憶される処理命令を呼び出すことによって以下のステップ、
第１の端末によって共有されるデスクトップ描画ファイルを受信するステップであって、デスクトップ描画ファイルは第１の端末のデスクトップ上の少なくとも１つの画面インタフェースのデスクトップ記述ファイル及びファイルパッケージを含み、デスクトップ記述ファイルは第１の端末のデスクトップ上の少なくとも１つのアプリケーションインタフェース要素の位置を含み、ファイルパッケージは少なくとも１つのアプリケーションインタフェース要素のサムネイルを含む、受信するステップと、
受信したデスクトップ描画ファイルに従って第２の端末のデスクトップを更新するステップと、
を実行するよう構成される。
【０１３１】
本発明のいくつかの実施例では、アプリケーションインタフェース要素は、デスクトップ壁紙、デスクトップアプリケーション、デスクトップウィジェットＷｉｄｇｅｔ又はデスクトップ上のフォルダを含む。
【０１３２】
本発明のいくつかの実施例では、受信したデスクトップ描画ファイルに従って第２の端末のデスクトップを更新するステップを実行するとき、プロセッサ１７０３は、具体的には、以下のステップ、
受信したデスクトップ描画ファイルに従って第２の端末のデスクトップ描画ファイルを更新するステップと、
第２の端末の更新されたデスクトップ描画ファイルに従って第２の端末のデスクトップを表示するステップと、
を実行する。
【０１３３】
本発明のいくつかの実施例では、第２の端末の更新されたデスクトップ描画ファイルに従って第２の端末のデスクトップを表示するステップを実行するとき、プロセッサ１７０３は、具体的には、以下のステップ、
第２の端末の更新されたデスクトップ描画ファイルに従って、第２の端末のデスクトップ壁紙を置換し、及び／又は第２の端末のデスクトップアイコンを配置するステップを実行し、デスクトップアイコンはデスクトップアプリケーションのアイコン、及び／又はデスクトップウィジェットのアイコン、及び／又はデスクトップ上のフォルダのアイコンを含む。
【０１３４】
本発明のいくつかの実施例では、少なくとも１つのアプリケーションインタフェース要素がデスクトップアプリケーションを含むとき、デスクトップ記述ファイルは更に、デスクトップアプリケーションのダウンロードリンクを含む。
【０１３５】
受信したデスクトップ描画ファイルに従って第２の端末のデスクトップを更新するステップを実行した後、プロセッサ１７０３は更に、以下のステップ、
第１の端末のデスクトップアプリケーションが第２の端末にインストールされていないとき、デスクトップ上のインストールされていないデスクトップアプリケーションをタップする操作を受信するステップと、
デスクトップ記述ファイルにおけるデスクトップアプリケーションのダウンロードリンクを利用することによって、タップされたデスクトップアプリケーションをダウンロード及びインストールするステップと、
を実行するよう構成される。
【０１３６】
第１のデスクトップ情報ファイルは更に、第１の端末のデスクトッププレビュー画像を含む。
【０１３７】
第１の端末によって共有されるデスクトップ描画ファイルを受信するステップを実行した後であって、受信したデスクトップ描画ファイルに従って第２の端末のデスクトップを更新するステップを実行する前、プロセッサ１７０３は更に、以下のステップ、
第１の端末のデスクトッププレビュー画像を表示するステップと、
第３の操作が受信されると、受信したデスクトップ描画ファイルに従って第２の端末のデスクトップを更新するステップをトリガするステップと、
を実行するよう構成され、第３の操作は受信したデスクトップ描画ファイルを使用することを決定するのに用いられる。
【０１３８】
便宜的及び簡潔な説明の目的のため、上記のシステム、装置及びユニットの詳細な動作プロセスについて、上記の方法の実施例における対応する処理が参照されてもよく、詳細はここでは再説明されない。
【０１３９】
本出願において提供されるいくつかの実施例では、開示されるシステム、装置及び方法は他の方式で実現されてもよいことが理解されるべきである。例えば、説明される装置の実施例は単なる例示である。例えば、ユニットの分割は単なる論理機能の分割であって、実際の実現形態では他の分割であってもよい。例えば、複数のユニット又はコンポーネントは他のシステムに合成又は統合されてもよいし、あるいは、いくつかの特徴は無視されるか、又は実行されなくてもよい。さらに、表示又は議論される相互結合又は直接的な結合若しくは通信接続は、いくつかのインタフェースを用いることによって実現されてもよい。装置又はユニットの間の間接的な結合又は通信接続は、電子、機械又は他の形態で実現されてもよい。
【０１４０】
別々のパーツとして説明されるユニットは、物理的に別々であってもよいし、あるいは、そうでなくてもよく、ユニットとして表示されるパーツは、物理的ユニットであってもよいし、あるいは、そうでなくてもよく、１つの位置に配置されてもよいし、あるいは、複数のネットワークユニット上に分散されてもよい。ユニットの一部又は全ては、実施例の解決策の課題を実現するため、実際のニーズに従って選択されてもよい。
【０１４１】
さらに、本発明の実施例における機能ユニットは１つの処理ユニットに統合されてもよいし、あるいは、各ユニットは物理的に単独で存在してもよいし、あるいは、２つ以上のユニットが１つのユニットに統合される。統合されたユニットは、ハードウェアの形態で実現されてもよいし、あるいは、ソフトウェア機能ユニットの形態で実現されてもよい。
【０１４２】
統合されたユニットがソフトウェア機能ユニットの形態で実現され、独立した製品として販売又は利用されるとき、統合されたユニットはコンピュータ可読記憶媒体に記憶されてもよい。このような理解に基づき、実質的に本発明の技術的解決策、又は従来技術に貢献するパーツ又は技術的解決策の全て若しくは一部は、ソフトウェア製品の形態で実現されてもよい。ソフトウェア製品は、記憶媒体に記憶され、本発明の実施例において説明される方法のステップの全て又は一部を実行するようコンピュータデバイス（パーソナルコンピュータ、サーバ又はネットワークデバイスであってもよい）に指示するためのいくつかの命令を含む。上記の記憶媒体は、ＵＳＢフラッシュドライブ、着脱可能なハードディスク、読み込み専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク又は光ディスクなどのプログラムコードを記憶可能な何れかの媒体を含む。
【０１４３】
上記の実施例は、本発明を限定するのでなく、本発明の技術的解決策を接続することを単に意図している。本発明は上記の実施例を参照して詳細に説明されるが、当業者は、それらが本発明の実施例の技術的解決策の範囲から逸脱することなく、上記の実施例において説明される技術的解決策に対して修正を依然として行ってもよいし、あるいは、それのいくつかの技術的特徴に対して等価な置換を行ってもよいことを理解すべきである。
【図１】
0006501893.tif 000002
【図２】
0006501893.tif 000003
【図３】
0006501893.tif 000004
【図４】
0006501893.tif 000005
【図５】
0006501893.tif 000006
【図６】
0006501893.tif 000007
【図７】
0006501893.tif 000008
【図８】
0006501893.tif 000009
【図９】
0006501893.tif 000010
【図１０】
0006501893.tif 000011
【図１１】
0006501893.tif 000012
【図１２】
0006501893.tif 000013
【図１３】
0006501893.tif 000014
【図１４】
0006501893.tif 000015
【図１５】
0006501893.tif 000016
【図１６】
0006501893.tif 000017
【図１７】
0006501893.tif 000018